(57)【要約】【課題】リザーバー内のウォッシャー液の粘度増加によるウォッシャーポンプの吐出圧低下、ウォッシャー液の供給不良及び噴射位置不良、ガラス磨きの不良、ウォッシャーポンプの損傷及び作動スイッチの損傷などの問題点を改善できる自動車ウォッシャー液噴射装置を提供する。【解決手段】リザーバーと一体に装着されてリザーバーから流入するウォッシャー液が保存される補助タンク、及び補助タンクと一体に装着されて補助タンクに保存されているウォッシャー液を加熱するヒーターアセンブリーを含み、ヒーターアセンブリーは、補助タンク内のウォッシャー液を加熱するために補助タンクのホールに設置される板状のヒーターを含み、板状のヒーターは発熱される加熱面が補助タンク内のウォッシャー液を加熱できるようにホールを通じて補助タンクの内側に露出するように固定されることを特徴とする。【選択図】図５
2016030592.tif 000002
【特許請求の範囲】
【請求項１】
リザーバーと一体に装着されて該リザーバーから流入するウォッシャー液が保存される補助タンク、及び
前記補助タンクと一体に装着されて該補助タンクに保存されているウォッシャー液を加熱するヒーターアセンブリーを含み、
前記ヒーターアセンブリーは、
前記補助タンク内のウォッシャー液を加熱するために前記補助タンクのホールに設置される板状のヒーターを含み、
前記板状のヒーターは発熱される加熱面が前記補助タンク内のウォッシャー液を加熱できるように前記ホールを通じて前記補助タンクの内側に露出するように固定されることを特徴とするリザーバー一体型のウォッシャー液加熱装置。
【請求項２】
前記ヒーターアセンブリーは、
前記板状のヒーターを取り囲むように前記補助タンクに組み立てられる保護カバー、及び
前記板状のヒーターと保護カバーを前記補助タンクに固定するための締め付け手段をさらに含むことを特徴とする請求項１に記載のリザーバー一体型のウォッシャー液加熱装置。
【請求項３】
前記ヒーター周りの部分に沿って前記保護カバーのフランジと接合されるフランジが突出形成され、
前記締め付け手段は前記ヒーターのフランジと前記保護カバーのフランジ、前記補助タンクのホール周りの部分が接合された状態でその接合部位を締め付けるボルトであることを特徴とする請求項２に記載のリザーバー一体型のウォッシャー液加熱装置。
【請求項４】
相互接合される前記ヒーターのフランジと前記保護カバーのフランジの間、そして前記ヒーターのフランジとリザーバーのホール周りの部分の間にウォッシャー液の漏水を防止するための水密パッドが介在されることを特徴とする請求項３に記載のリザーバー一体型のウォッシャー液加熱装置。
【請求項５】
前記板状のヒーターは、
板状のベース不在、
前記ベース不在に積層される下部絶縁層、
前記下部絶縁層上に積層される発熱体、
前記発熱体に外部の電源を印加できるように接続される電極、及び
前記発熱体と電極の上に積層される上部絶縁層を含み、
前記下部絶縁層上に長く形成された複数の発熱体が定められた間隔に配列してパターン化されていることを特徴とする請求項１に記載のリザーバー一体型のウォッシャー液加熱装置。
【請求項６】
前記ヒーターが設置される補助タンクのホールは、前記補助タンク内のウォッシャー液が常に残っている位置である補助タンクの下端部面または底面に形成されることを特徴とする請求項１に記載のリザーバー一体型のウォッシャー液加熱装置。
【請求項７】
前記リザーバーの下部に形成されたホールに挟まれる注入口が補助タンクの上部に形成され、
前記リザーバーのホールに補助タンクの注入口が挟まれて繋がれることで、リザーバー内のウォッシャー液が高さの差異及び圧力によって補助タンクに流入されて満たされるようになったことを特徴とする請求項１に記載のリザーバー一体型のウォッシャー液加熱装置。
【請求項８】
前記補助タンクにウォッシャーポンプが繋がって前記補助タンクに保存されたウォッシャー液が前記ウォッシャーポンプによって吸入された後、ウォッシャーホースを通じてウォッシャーノズルへ送り出されるようにしたことを特徴とする請求項１に記載のリザーバー一体型のウォッシャー液加熱装置。
【請求項９】
前記ヒーターが設置される補助タンクのホールは、前記ウォッシャーポンプによってウォッシャー液の吸入がなされる位置より低い位置に形成されることを特徴とする請求項８に記載のリザーバー一体型のウォッシャー液加熱装置。
【発明の詳細な説明】
【技術分野】
【０００１】
本発明は自動車のウォッシャー液加熱装置に係り、より詳しくは、リザーバータンク内のウォッシャー液の粘度の増加によるウォッシャーポンプの吐出圧低下、ウォッシャー液の供給不良及び噴射位置不良、ガラス磨きの不良、ウォッシャーポンプの損傷及び作動スイッチの損傷などの問題点を改善できる自動車のウォッシャー液加熱装置に関する。
【背景技術】
【０００２】
自動車を運転するにあたり、安全運行のために何より重要なのは、円滑な前方視野の確保である。
よって、通常、自動車には運転者の円滑な前方視野の確保のために、フロントガラスの表面に附着された異物をとり除き、雨天時にガラス表面の雨水を拭いてくれるワイパー装置が設置されている。
同時に、車両にはフロントガラスの表面を洗浄する過程で異物をより容易くとり除けるように、ガラスの表面にウォッシャー液を噴射してくれるウォッシャー液噴射装置が備えられている（特許文献１，２参照）。
ウォッシャー液噴射装置は、リザーバー（ｒｅｓｅｒｖｏｉｒ）に保存されているウォッシャー液をウォッシャーポンプ（ウォッシャーモーター）が送り出し、ウォッシャーノズルを通じてガラスの表面へ噴射できるよう構成されるが、通常のウォッシャーノズルは車両のカウルトップ（ｃｏｗｌ  ｔｏｐ）の内部やフード（ｈｏｏｄ）に設置される。
【０００３】
図１は一般的なウォッシャー液噴射装置の構成を示す概念図であって、ウォッシャー液噴射装置はウォッシャー液が保存されるリザーバー１、リザーバー１に装着されてリザーバーに保存されたウォッシャー液をウォッシャーホース３を通じて送るウォッシャーポンプ２、ウォッシャーホース３を通じて送られるウォッシャー液をフロントガラス５の表面へ噴射するウォッシャーノズル４を含む。
このような構成において、運転者が作動スイッチ（多機能スイッチ内のウォッシャースイッチ）をオン（Ｏｎ）にする場合、ウォッシャーポンプ２が作動してリザーバー１に保存されているウォッシャー液を送り出し、送り出されたウォッシャー液はウォッシャーノズル４を通じてガラス５の表面へ噴射される。
一方、寒冷地域や低い温度条件でウォッシャー液は凍結することがあり、また温度が低いほどウォッシャー液の粘度が増加する。ウォッシャー液の粘度が増加すると、ウォッシャー液の噴射不良が生じる。
このため、図２に示したとおり、ウォッシャーホース３の途中でウォッシャー液を加熱する加熱装置６が設置されるが、通常のウォッシャー液加熱装置６は、ウォッシャーポンプ２からウォッシャーノズル４へ送られるウォッシャー液が通過するハウジングを含む（特許文献３参照）。
【０００４】
ハウジングは、前後端の各ウォッシャーホース３が繋がって、ウォッシャー液がそれぞれ流入及び排出される入口ポートと出口ポートを有し、ハウジングにはコントローラーの制御信号によって電源を印加されて発熱作動するヒーター棒が内蔵される。
これによって、ウォッシャーポンプ２の作動によって送り出されるウォッシャー液がウォッシャーホース３の途中に配置された加熱装置６のハウジング内部を通過しながら、ヒーター棒によって加熱された後、再度ウォッシャーホース３を通じてウォッシャーノズル４に供給される。
このような構成で、運転者が作動スイッチをオンにする場合、ウォッシャーポンプ２が作動すると共に加熱装置６に電源が印加され、ウォッシャーポンプ２によってウォッシャー液が送り出される間、加熱装置６がウォッシャー液を加熱するので、加熱されたウォッシャー液がウォッシャーホース３を通じてウォッシャーノズル４に供給されて噴射できるようになる。
【０００５】
しかし、加熱装置６がリザーバー１と分離されてウォッシャーホース３の途中に設置されるので、ウォッシャーホースを通じて送り出されるウォッシャー液を加熱することはできるが、温度などの条件によってリザーバー１に保存されているウォッシャー液の粘度が増加した場合、リザーバーに装着されたウォッシャーポンプ２がウォッシャー液を容易に押し出すことができず、結局ウォッシャーポンプの吐出圧低下によってウォッシャー液の噴射位置（着手位置）が不良になる問題点がある。
すなわち、ウォッシャー液の粘度増加によるウォッシャーポンプの吐出圧低下及びそれによるウォッシャー液の噴射位置不良、ガラス磨きの不良が加熱装置の装着有無にかかわらず発生することになる。
特に、ウォッシャー液の粘度が増加する場合、ウォッシャーポンプ２の作動電流増加によってウォッシャーポンプ（ウォッシャーモーター）の過熱による炭化の可能性があり、同時に作動スイッチ（多機能スイッチ内のウォッシャースイッチ）の接点部での炭化及び損傷が発生する虞がある。
【先行技術文献】
【特許文献】
【０００６】
【特許文献１】特開２０１３−１５１２７８号公報
【特許文献２】特開２００５−０７５２１８号公報
【特許文献３】特開平０７−３２９７３２号公報
【発明の概要】
【発明が解決しようとする課題】
【０００７】
本発明は、上記の問題点を解決するためになされたものであって、その目的とするところは、效果的なウォッシャー液の加熱によってウォッシャー液の粘度増加を防止し、ウォッシャー液の粘度増加によって起こる問題点を解決することができる自動車のウォッシャー液加熱装置を提供することにある。
即ち、本発明はリザーバータンクとウォッシャー液加熱装置が分離されている従来の構成で起こる問題点、つまり、リザーバー内のウォッシャー液の粘度増加によるウォッシャーポンプの吐出圧低下、ウォッシャー液の供給不良及び噴射位置不良、ガラス磨きの不良、ウォッシャーポンプの損傷及び作動スイッチの損傷などの問題点を改善することができるウォッシャー液加熱装置を提供することにある。
【課題を解決するための手段】
【０００８】
上記の目的を達成するためになされた本発明のリザーバー一体型のウォッシャー液加熱装置は、リザーバーと一体に装着されてリザーバーから流入するウォッシャー液が保存される補助タンク、及び補助タンクと一体に装着されて補助タンクに保存されているウォッシャー液を加熱するヒーターアセンブリーを含み、ヒーターアセンブリーは、補助タンク内のウォッシャー液を加熱するために補助タンクのホールに設置される板状のヒーターを含み、板状のヒーターは発熱される加熱面が補助タンク内のウォッシャー液を加熱できるようにホールを通じて補助タンクの内側に露出するように固定されることを特徴とする。
【０００９】
好適な実施例において、ヒーターアセンブリーは、板状のヒーターを取り囲むように補助タンクに組み立てられる保護カバー、及び板状のヒーターと保護カバーを補助タンクに固定するための締め付け手段をさらに含むことを特徴とする。
ここで、ヒーター周りの部分に沿って保護カバーのフランジと接合されるフランジが突出形成され、締め付け手段はヒーターのフランジと保護カバーのフランジ、補助タンクのホール周りの部分が接合された状態でその接合部位を締め付けるボルトであることを特徴とする。
【００１０】
また、相互接合されるヒーターのフランジと保護カバーのフランジの間、そしてヒーターのフランジとリザーバーのホール周りの部分の間にウォッシャー液の漏水を防止するための水密パッドが介在されることを特徴とする。
また、板状のヒーターは、板状のベース不在、ベース不在に積層される下部絶縁層、下部絶縁層上に積層される発熱体、発熱体に外部の電源を印加できるように接続される電極、及び発熱体と電極の上に積層される上部絶縁層を含み、下部絶縁層上に長く形成された複数の発熱体が定められた間隔に配列してパターン化されていることを特徴とする。
【００１１】
また、ヒーターが設置される補助タンクのホールは、補助タンク内のウォッシャー液が常に残っている位置である補助タンクの下端部面または底面に形成されることを特徴とする。
また、リザーバーの下部に形成されたホールに挟まれる注入口が補助タンクの上部に形成され、リザーバーのホールに補助タンクの注入口が挟まれて繋がることで、リザーバー内のウォッシャー液が高さの差異及び圧力によって補助タンクに流入されて満たされるようになったことを特徴とする。
【００１２】
また、補助タンクにウォッシャーポンプが繋がって補助タンクに保存されたウォッシャー液がウォッシャーポンプによって吸入された後、ウォッシャーホースを通じてウォッシャーノズルへ送り出されるようにしたことを特徴とする。
また、ヒーターが設置される補助タンクのホールは、ウォッシャーポンプによってウォッシャー液の吸入が行われる位置より低い位置に形成されることを特徴とする。
【発明の効果】
【００１３】
本発明のウォッシャー液加熱装置によると、リザーバーに一体型と装着されてウォッシャーポンプが装着される補助タンク内のウォッシャー液を板状のヒーターが直接加熱することになるので、低い温度条件でリザーバー内のウォッシャー液の粘度増加による問題点、すなわち、ウォッシャーポンプの吐出圧低下、ウォッシャー液の供給不良及び噴射位置不良、ガラス磨きの不良、ウォッシャーポンプの損傷及び作動スイッチの損傷などの問題点を改善することができる。
【図面の簡単な説明】
【００１４】
【図１】一般的なウォッシャー液噴射装置の構成を示す概念図である。
【図２】従来の加熱装置を有するウォッシャー液噴射装置を示す概念図である。
【図３】本発明の実施例によるウォッシャー液加熱装置がリザーバーと一体型に装着された状態を示す斜視図である。
【図４】本発明の実施例によるウォッシャー液加熱装置の側面図である。
【図５】本発明の実施例によるウォッシャー液加熱装置の分解斜視図である。
【図６】本発明の実施例において板状のヒーターの構成を示す分解斜視図である。
【図７】本発明の実施例において板状のヒーターのパターン化された発熱体及び電極を示す平面図である。
【発明を実施するための形態】
【００１５】
以下、添付した図面に基づいて、本発明の実施例について詳しく説明する。
図３は本発明の実施例によるウォッシャー液加熱装置がリザーバーと一体型に装着された状態を示す斜視図であり、図４は実施例によるウォッシャー液加熱装置の側面図であり、図５は実施例によるウォッシャー液加熱装置の分解斜視図である。
ウォッシャー液が保存されるリザーバー１１は、上部タンク１２と下部タンク１３に分離して構成することができるが、本実施例では、上部タンク１２と下部タンク１３が上下に組み付けられて所定の容積の密閉された内部空間を持つリザーバー１１が構成される。
【００１６】
一方、図５ではリザーバー１１を構成する上で、下部タンクの中で下部タンク１３だけが図示されていて、下部タンク１３に本発明のウォッシャー液加熱装置１００が一体に装着される。
図示したとおり、実施例のウォッシャー液加熱装置１００は、リザーバー１１に繋がってリザーバーから流入するウォッシャー液が保存される補助タンク１０１と、補助タンク１０１と一体型に附着され、補助タンクに保存されているウォッシャー液を加熱するヒーターアセンブリー１０９を含む。
補助タンク１０１は、リザーバーと同様に上部タンク１０２と下部タンク１０３に分離して構成することができ、また上部タンク１０２と下部タンク１０３が上下に組み付けられて所定の容積の密閉された内部空間を持つ補助タンク１０１として構成することもできる。
【００１７】
また、補助タンク１０１に保存されたウォッシャー液を送るウォッシャーポンプ１４と、ウォッシャー液を加熱するヒーターアセンブリー１０９が一体に装着され、ウォッシャーポンプ１４は補助タンク１０１の上部タンク１０２に、ヒーターアセンブリー１０９は補助タンク１０１の下部タンク１０３に装着される。
補助タンク１０１の上部の一側には、リザーバー１１の下部（リザーバーの下部タンクの下部）に形成されたホール１１ａに水密用グロメット（ｇｒｏｍｍｅｔ）１０４を介在した状態で挟まれる注入口（図示しない）が形成されるが、リザーバー１１のホール１１ａに補助タンク１０１の注入口が挟まれて繋がることで、リザーバー１１内のウォッシャー液を補助タンク１０１に流入させて満たすことができる。
この時、リザーバー１１の下部タンク１３の下端部面または底面にホール１１ａを形成し、この下端部面または底面のホール１１ａに補助タンク１０１の注入口を連結して、リザーバー１１内に少ない量のウォッシャー液が残っていても、リザーバー内のウォッシャー液が高さの差異及び圧力によって補助タンクへ自然に流れ込むようにする。
【００１８】
また、図４に示したとおり、補助タンク１０１からリザーバー１１の下部タンク１３に繋がれる注入口の高さＨ１を補助タンク１０１の最上端の高さＨ２より低く位置させる。
また、ウォッシャーポンプ１４が補助タンク１０１の下部に繋がり、ウォッシャーポンプ１４が補助タンク１０１の下部よりウォッシャー液を吸いこんでウォッシャーホース１５を通じてウォッシャーノズル（図示しない）に送り出すように装着される。
ウォッシャーポンプ１４は、補助タンク１０１の下部、例えば補助タンク１０１を構成する上部タンク１０２の下部の一側に形成された出口ホール（図示しない）に繋がり、出口ホールにウォッシャーポンプ１４の吸入口１６がグロメット１７を介在した状態で挟まれて繋がることで、ウォッシャーポンプ１４が補助タンク１０１を通じてウォッシャー液を吸いこみ、送り出すことができるようになっている。
【００１９】
ヒーターアセンブリー１０９は、補助タンク１０１内のウォッシャー液の量に関わらず、ウォッシャー液を加熱することができる位置、つまり補助タンク１０１の下部に装着され、補助タンク１０１の内部空間に接するように固定されて、補助タンク内のウォッシャー液を直接加熱する板状のヒーター１１０を有する。
好適な実施例において、ヒーターアセンブリー１０９の装着部位は、補助タンク１０１の下端部面または底面である。補助タンク１０１の下端部面または底面にホール１０３ａを形成し、ホール１０３ａに板状のヒーター１１０が補助タンク１０１内のウォッシャー液と直接的に接触できるように固定される。
この時、板状のヒーター１１０は補助タンク１０１のホール１０３ａを仕上げるように固定されて発熱する加熱面が補助タンク１０１内のウォッシャー液を加熱できるようにホール１０３ａを通じて補助タンクの内側へ露出するように固定される。
【００２０】
また、板状のヒーター１１０が補助タンク１０１のホール１０３ａを通じて補助タンク内に露出しても、ウォッシャー液の中で発熱されることで過熱を防止することができ、そうすることで、ヒーター１１０を保護することができるので、板状のヒーター１１０が設置される補助タンク１０１のホール１０３ａは、ウォッシャーポンプ１４が作動しても補助タンク内のウォッシャー液が常に残っている位置に形成される。
すなわち、補助タンク１０１でウォッシャーポンプ１４によるウォッシャー液の吸入が行われる位置より低い位置でありながら補助タンク１０１内のウォッシャー液の永久残量が存在する位置である補助タンクの下端部面または底面に補助タンクのホール１０３ａが形成される。
構成をよく見ると、ヒーターアセンブリー１０９は電源を印加されて発熱し、補助タンク１０１内のウォッシャー液を加熱するように補助タンクのホール１０３ａに固定される板状のヒーター１１０、ヒーター１１０を取り囲むように補助タンク１０１に組み立てられてヒーターを保護する保護カバー１２０、ヒーター１１０と保護カバー１２０を補助タンク１０１に固定する締め付け手段（図示しない）を含む。
【００２１】
ここで、板状のヒーター１１０は図６に示したとおり、板状のベース不在１１１、ベース不在１１１上に積層される下部絶縁層１１２、細くて長くパターン化されて上部絶縁層１１５の上に積層される発熱体１１３、パターン化された発熱体１１３に外部電源を印加するための電極１１４、発熱体１１３と電極１１４上に積層される上部絶縁層１１５を含む構成を持つ。
ベース不在１１１は、発熱体１１３と電極１１４を支持する支持体役割の基材になるもので、ステンレス鋼などのような金属や合成樹脂などで製作され、このベース不在１１１の上面に絶縁材料をコーティングして下部絶縁層１１２を形成することができる。
【００２２】
図７は実施例で板状のヒーターを図示した平面図であって、下部絶縁層１１２の上に細くて長くパターン化された複数の発熱体１１３を所定の間隔で横方向に配置し、パターン化された発熱体１１３の両端に共通して接続することができるように電極１１４を縦方向に長く配置する。
板状のヒーター１１０を構成するにあたり、例示したとおり細くて長い発熱体１１３を一定の間隔にヒーターの全面積に均等に配置することで発熱面積を大きくし、熱の集積度を下げて特定部位で発熱が集中しないようにする。
電極１１４にはワイヤを通じて電源用コネクター１１７が繋がり、コントローラーの制御信号によってコネクター１１７及び電極１１４を通じて発熱体１１３に電源が印加されれば、発熱体１１３が発熱作動してウォッシャー液を加熱することができる。
上部絶縁層１１５は、パターン化された発熱体１１３と電極１１４の上に絶縁材料をコーティングして形成することができる。
【００２３】
図７で、符号１１６は接続端子であって、発熱体１１３を含むヒーター１１０の温度を検出するために附着される図示しないサーミスタ（ｔｈｅｒｍｉｓｔｏｒ）のための接続端子である。この接続端子１１６がワイヤを通じてサーミスタ用コネクター１１８に繋がり、サーミスタ用コネクター１１８にはワイヤを通じてコントローラーが繋がる。
コントローラーはサーミスタによって検出されるヒーター１１０の温度によって、ヒーターの作動電源、すなわち発熱体１１３に印加される電源を制御することができ、基本的には運転者がウォッシャー液を噴射するために作動スイッチ（ウォッシャースイッチ）を操作すれば、電源を印加してヒーター１１０を作動させ、基準温度以上にヒーター１１０の温度が過熱されると電源を遮断してヒーターをオフにする。
【００２４】
保護カバー１２０は、ヒーター１１０の下側を覆ってヒーターを保護するように組み立てられるもので、所定の容積を内部空間を持ちながら開放された上面周りの部分に沿ってフランジ１２１が突出形成された構造に製作される。
この時、例示したとおり、電源用コネクター１１７とサーミスタ用コネクター１１８は保護カバー１２０に固定されるが、電源用コネクター１１７は保護カバー１２０の外側下面に固定して装着される。この場合、電源用コネクター１１７に繋がったワイヤが保護カバー１２０を貫通してヒーター１１０の電極１１４に接続される。
また、サーミスタ用コネクター１１８は、それ自体が保護カバー１２０を貫くように組み立てることができ、サーミスタ用コネクター１１８も保護カバー１２０内のワイヤを通じてヒーター１１０のサーミスタ用接続端子１１６に接続される。
【００２５】
このように、電源用コネクター１１７とサーミスタ用コネクター１１８、ワイヤを共に組立てて構成したヒーターアセンブリー１０９は、締め付け手段であるボルト（図示しない）で補助タンク１０１に締め付けて固定することができる。
ヒーターアセンブリー１０９の固定のために、ヒーター１１０周りの部分、より正確にはベース不在１１１周りの部分に沿って保護カバー１２０のフランジ１２１と接合された状態でボルト締結されるフランジ１１１ａが突出形成される。
これにヒーター１１０のフランジ１１１ａと保護カバー１２０のフランジ１２１を接合した状態で、相互接合されたフランジ部位を補助タンク１０１のホール１０３ａ周りの部分に締め付け手段であるボルトで締め付けてヒーター１１０と保護カバー１２０を固定する。
【００２６】
好ましくは、相互接合されるヒーター１１０のフランジ１１１ａと保護カバー１２０のフランジ１２１の間、そしてヒーター１１０のフランジ１１１ａと補助タンク１０１の接合部位の間には、ウォッシャー液の漏水を防止するための水密パッド１３０が介在される。
このように、固定された加熱装置１００で、ヒーター１１０の上面が補助タンク１０１の内側に露出するので、ヒーター１１０がウォッシャー液を直接加熱することが可能となる。
結局、本発明によるウォッシャー液加熱装置を適用する場合、リザーバー内に保存されたウォッシャー液を直接加熱するので、低い温度条件で起こるウォッシャー液の粘度増加による問題点、すなわちウォッシャーポンプの吐出圧低下、ウォッシャー液の供給不良及び噴射位置不良、ガラス磨きの不良、ウォッシャーポンプの損傷及び作動スイッチの損傷などの問題点を改善できる。
【００２７】
以上、本発明の実施例について詳細に説明したが、本発明は上記実施例に限定されず、本発明の属する技術的範囲を逸脱しない範囲での全ての変更が含まれる。
【符号の説明】
【００２８】
１，１１：リザーバー
２，１４：ウォッシャーポンプ
３，１５：ウォッシャーホース
４：ウォッシャーノズル
５：ガラス
６：加熱装置
１１ａ：ホール
１２：（リザーバーの）上部タンク
１３：（リザーバーの）下部タンク
１６：吸入口
１７：グロメット
１００：ウォッシャー液加熱装置
１０１：補助タンク
１０２：（補助タンクの）上部タンク
１０３：（補助タンクの）下部タンク
１０３ａ：ホール
１０４：グロメット
１０９：ヒーターアセンブリー
１１０：ヒーター
１１１：ベース不在
１１１ａ：フランジ
１１２：下部絶縁層
１１３：発熱体
１１４：電極
１１５：上部絶縁層
１１６：接続端子
１１７：電源用コネクター
１１８：サーミスタ用コネクター
１２０：保護カバー
１２１：フランジ
１３０：水密パッド
Ｈ１：注入口の高さ
Ｈ２：最先端の高さ
【図１】
2016030592.tif 000003
【図２】
2016030592.tif 000004
【図３】
2016030592.tif 000005
【図４】
2016030592.tif 000006
【図５】
2016030592.tif 000007
【図６】
2016030592.tif 000008
【図７】
2016030592.tif 000009